(57)【要約】【課題】撮像装置に設けられるディスプレイの更なる利便性の向上が要求されている。【解決手段】撮像装置は、イメージセンサを備えてよい。撮像装置は、イメージセンサを収容する筐体を備えてよい。撮像装置は、イメージセンサにより撮像された画像を表示するディスプレイを備えてよい。撮像装置は、筐体とディスプレイとを連結する連結部を備えてよい。連結部は、ディスプレイを筐体の一面に対して回転可能に保持し、かつ筐体の一面に沿ってディスプレイ及び連結部をスライド可能に筐体に保持されてよい。【選択図】図３
2020003618.tif 000002
【特許請求の範囲】
【請求項１】
イメージセンサと、
前記イメージセンサを収容する筐体と、
前記イメージセンサにより撮像された画像を表示するディスプレイと、
前記筐体と前記ディスプレイとを連結する連結部と
を備え、
前記連結部は、
前記ディスプレイを前記筐体の一面に対して回転可能に保持し、かつ
前記筐体の一面に沿って前記ディスプレイ及び前記連結部をスライド可能に前記筐体に保持される、撮像装置。
【請求項２】
前記連結部は、
前記ディスプレイの一辺に連結され、前記ディスプレイの前記一辺に沿った軸を中心に前記ディスプレイを回転させる第１ヒンジ部と、
前記筐体の前記一面に設けられた溝にガイドされて、前記ディスプレイの前記一辺を前記溝に沿った方向にスライドさせるピンと
を有する、請求項１に記載の撮像装置。
【請求項３】
基部と、前記基部の一端に設けられ、前記ディスプレイの表示面と反対側の裏面に連結される第２ヒンジ部と、前記基部の他端に設けられ、前記筐体の前記一面に連結される第３ヒンジ部とを有し、前記ディスプレイを前記筐体の前記一面に対して回転させながら、前記ディスプレイの前記一辺を前記溝に沿った方向にスライド可能に、前記筐体の前記一面に対して前記ディスプレイを支持する支持部をさらに備える、請求項２に記載の撮像装置。
【請求項４】
前記筐体内に収容され、前記ディスプレイを制御する制御基板をさらに備え、
前記支持部は、前記ディスプレイと前記制御基板とを電気的に接続する配線を保持する、請求項３に記載の撮像装置。
【請求項５】
前記連結部は、前記ディスプレイの前記筐体の前記一面に対する姿勢を、前記ディスプレイの表示面と反対側の裏面を前記筐体の前記一面に対向させて前記ディスプレイを横たえさせた第１姿勢と、前記ディスプレイを前記筐体の前記一面に対して立ち上げた第２姿勢とで保持可能な保持機構を有する、請求項１に記載の撮像装置。
【請求項６】
前記筐体の前記一面に設けられたファインダをさらに備え、
前記ファインダは、前記ディスプレイが前記第１姿勢の状態の場合に前記ディスプレイの一辺に沿って配置されている、請求項５に記載の撮像装置。
【請求項７】
前記ディスプレイが前記第２姿勢の状態の場合に、前記ディスプレイの表示面は、前記ファインダ側に位置する、請求項６に記載の撮像装置。
【請求項８】
前記支持部は、前記ディスプレイの前記筐体の前記一面に対する姿勢を、前記ディスプレイの表示面と反対側の裏面を前記筐体の前記一面に対向させて前記ディスプレイを横たえさせた第１姿勢と、前記ディスプレイを前記筐体の前記一面に対して立ち上げた第２姿勢とで保持可能な保持機構を有する、請求項３に記載の撮像装置。
【発明の詳細な説明】
【技術分野】
【０００１】
本発明は、撮像装置に関する。
【背景技術】
【０００２】
特許文献１には、撮像装置の本体に回動可能に設けられたディスプレイが開示されている。
特許文献１  再表２０１７／０５６５９０号公報
【発明の概要】
【発明が解決しようとする課題】
【０００３】
撮像装置に設けられるディスプレイの更なる利便性の向上が要求されている。
【課題を解決するための手段】
【０００４】
本発明の一態様に係る撮像装置は、イメージセンサを備えてよい。撮像装置は、イメージセンサを収容する筐体を備えてよい。撮像装置は、イメージセンサにより撮像された画像を表示するディスプレイを備えてよい。撮像装置は、筐体とディスプレイとを連結する連結部を備えてよい。連結部は、ディスプレイを筐体の一面に対して回転可能に保持し、かつ筐体の一面に沿ってディスプレイ及び連結部をスライド可能に筐体に保持されてよい。
【０００５】
連結部は、ディスプレイの一辺に連結され、ディスプレイの一辺に沿った軸を中心にディスプレイを回転させる第１ヒンジ部を有してよい。連結部は、筐体の一面に設けられた溝にガイドされて、ディスプレイの一辺を溝に沿った方向にスライドさせるピンを有してよい。
【０００６】
撮像装置は、基部と、基部の一端に設けられ、ディスプレイの表示面と反対側の裏面に連結される第２ヒンジ部と、基部の他端に設けられ、筐体の一面に連結される第３ヒンジ部とを有し、ディスプレイを筐体の一面に対して回転させながら、ディスプレイの一辺を溝に沿った方向にスライド可能に、筐体の一面に対してディスプレイを支持する支持部を備えてよい。
【０００７】
撮像装置は、筐体内に収容され、ディスプレイを制御する制御基板を備えてよい。支持部は、ディスプレイと制御基板とを電気的に接続する配線を保持してよい。
【０００８】
連結部は、ディスプレイの筐体の一面に対する姿勢を、ディスプレイの表示面と反対側の裏面を筐体の一面に対向させてディスプレイを横たえさせた第１姿勢と、ディスプレイを筐体の一面に対して立ち上げた第２姿勢とで保持可能な保持機構を有してよい。
【０００９】
撮像装置は、筐体の一面に設けられたファインダを備えてよい。ファインダは、ディスプレイが第１姿勢の状態の場合にディスプレイの一辺に沿って配置されてよい。
【００１０】
ディスプレイが第２姿勢の状態の場合に、ディスプレイの表示面は、ファインダ側に位置してよい。
【００１１】
支持部は、ディスプレイの筐体の一面に対する姿勢を、ディスプレイの表示面と反対側の裏面を筐体の一面に対向させてディスプレイを横たえさせた第１姿勢と、ディスプレイを筐体の一面の第１領域に対して立ち上げた第２姿勢とで保持可能な保持機構を有してよい。
【００１２】
本発明の一態様によれば、撮像装置に設けられるディスプレイの更なる利便性の向上を図ることができる。
【００１３】
なお、上記の発明の概要は、本発明の必要な特徴の全てを列挙したものではない。また、これらの特徴群のサブコンビネーションもまた、発明となりうる。
【図面の簡単な説明】
【００１４】
【図１】ディスプレイが第１姿勢の状態の撮像装置の外観斜視図である。
【図２】ディスプレイが第２姿勢の状態の撮像装置の外観斜視図である。
【図３】ディスプレイが第２姿勢の状態の撮像装置の外観斜視図である。
【図４】連結部の外観斜視図である。
【図５Ａ】ディスプレイが第１姿勢の状態のときの筐体の一面を裏側から見た図である。
【図５Ｂ】図５Ａに示すＰＡ−ＰＡ断面図である。
【図５Ｃ】図５Ｂの符号Ｅで囲まれた部分の拡大図である。
【図５Ｄ】図５Ａに示すＰＢ−ＰＢ断面図である。
【図５Ｅ】図５Ｄの符号Ｆで囲まれた部分の拡大図である。
【図６】板ばねの外観斜視図である。
【図７Ａ】ディスプレイが第２姿勢の状態のときの筐体の一面を裏側から見た図である。
【図７Ｂ】図７Ａに示すＰＡ−ＰＡ断面図である。
【図７Ｃ】図７Ｂの符号Ｈで囲まれた部分の拡大図である。
【図７Ｄ】図７Ａに示すＰＢ−ＰＢ断面図である。
【図７Ｅ】図７Ｄに示す符号Ｇで囲まれた部分の拡大図である。
【図８Ａ】ディスプレイ及び支持部の斜視図である。
【図８Ｂ】支持部の分解図である。
【図８Ｃ】ワッシャの外観斜視図である。
【発明を実施するための形態】
【００１５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１６】
図１、図２、及び図３は、本実施形態に係る撮像装置１００の外観斜視図である。撮像装置１００は、筐体１１０と、ディスプレイ１２０とを備える。撮像装置１００は、イメージセンサをさらに備え、筐体１１０がイメージセンサを内部に収容する。ディスプレイ１２０は、イメージセンサから出力された画像を表示する。
【００１７】
撮像装置１００は、ディスプレイ１２０の筐体１１０の一面１１２に対する姿勢を、筐体１１０の一面１１２に横たえた第１姿勢と、筐体１１０の一面１１２から立ち上げた第２姿勢とに切り替えることができる。図１は、ディスプレイ１２０が第１姿勢の状態の撮像装置１００の外観斜視図を示す。図２及び図３は、ディスプレイ１２０が第２姿勢の状態の撮像装置１００の外観斜視図を示す。
【００１８】
撮像装置１００は、筐体１１０の一面１１２にファインダ１６０をさらに備える。ファインダ１６０は、第１姿勢の状態のディスプレイ１２０の一辺１２２に沿って配置されてよい。ディスプレイ１２０は、矩形状でよい。ファインダ１６０は、筐体１１０の一面１１２から突出して設けられてよい。ディスプレイ１２０が第２姿勢の状態の場合に、ディスプレイ１２０の表示面１２４は、ファインダ１６０側に位置する。ディスプレイ１２０は、表示面１２４側に、撮像装置１００を操作するための操作ボタン１２６を有してよい。
【００１９】
撮像装置１００は、図３に示すように、筐体１１０とディスプレイ１２０とを連結する連結部１３０をさらに備える。図４は、連結部１３０の外観斜視図を示す。連結部１３０は、ディスプレイ１２０を筐体１１０の一面１１２に対して回転可能に保持する。連結部１３０は、筐体１１０の一面に沿ってディスプレイ１２０及び連結部１３０をスライド可能に筐体１１０に保持される。連結部１３０は、本体１３１を有する。連結部１３０は、筐体１１０の一面１１２に対向する本体１３１の裏面１３１１と反対側の表面１３１２側にヒンジ部１３２を有する。ヒンジ部１３２は、ディスプレイ１２０の一辺１２２に連結され、ディスプレイ１２０の一辺１２２に沿った回転軸１３４を中心にディスプレイ１２０を回転させる。ヒンジ部１３２は、連結部１３０の本体１３１の表面１３１２側から突出して設けられている。
【００２０】
連結部１３０は、筐体１１０の一面１１２に設けられた溝１１３にガイドされて、ディスプレイ１２０の一辺１２２を溝１１３に沿った方向にスライドさせるピン１３３を有する。ピン１３３は、本体１３１の裏面１３１１側から突出して設けられている。
【００２１】
連結部１３０は、ディスプレイ１２０の一辺１２２の両端にそれぞれ１つずつ設けられている。溝１１３は、筐体１１０の一面１１２に、筐体１１０の側面のそれぞれに沿って１本ずつ設けられる。
【００２２】
撮像装置１００は、筐体１１０とディスプレイ１２０とに連結され、ディスプレイ１２０の筐体１１０に対する移動をガイドする支持部１４０をさらに備える。支持部１４０は、基部１４１を有する。支持部１４０は、基部１４１の一端に設けられ、ディスプレイ１２０の表示面１２４と反対側の裏面に連結されるヒンジ部１４２を有する。支持部１４０は、基部１４１の他端に設けられ、筐体１１０の一面１１２に連結されるヒンジ部１４３をさらに有する。支持部１４０は、ディスプレイ１２０を筐体１１０の一面１１２に対して回転させながら、ディスプレイ１２０の一辺１２２を溝１１３に沿った方向にスライド可能に、筐体１１０の一面１１２に対してディスプレイ１２０を支持する。
【００２３】
撮像装置１００は、ディスプレイ１２０を制御する制御基板をさらに備えてよい。制御基板は、筐体１１０内に収容されてよい。支持部１４０は、ディスプレイ１２０と制御基板とを電気的に接続する配線を保持してよい。支持部１４０は、配線を内部に収容してよい。
【００２４】
以上のように、本実施形態に係る撮像装置１００によれば、ディスプレイ１２０の筐体１１０の一面１１２に対する姿勢を、筐体１１０の一面１１２に横たえた第１姿勢と、筐体１１０の一面１１２から立ち上げた第２姿勢とに切り替えることができる。これにより、ユーザの使用形態に合わせて、ディスプレイ１２０の姿勢を変更することができる。
【００２５】
例えば、ディスプレイ１２０を筐体１１０の一面１１２から立ち上げた姿勢を実現するために、撮像装置１００が、ディスプレイ１２０の一辺１２２を筐体１１０の一面１１２に回転可能に連結する機構のみを有する形態が考えられる。しかし、このような形態では、例えば、筐体１１０の一面１１２から突出しているファインダ１６０により、ディスプレイ１２０の表示面１２４の一部が隠れて、表示面１２４が見えづらくなる可能性がある。
【００２６】
本実施形態によれば、ディスプレイ１２０が連結部１３０を介して筐体１１０の一面に沿ってスライドされる。これにより、ディスプレイ１２０が筐体１１０の一面１１２から立ち上げられた姿勢で、ディスプレイ１２０の一辺１２２がファインダ１６０から離れた位置に位置付けられる。これにより、ディスプレイ１２０の表示面１２４の一部がファインダ１６０に隠れて、表示面１２４が見えづらくなることを防止できる。
【００２７】
ディスプレイ１２０が筐体１１０の一面１１２から立ち上げられた姿勢で、操作ボタン１２６が操作された場合に、ディスプレイ１２０の姿勢が維持されることが好ましい。本実施形態によれば、撮像装置１００は、連結部１３０に加えて、ディスプレイ１２０を筐体１１０に対して支持する支持部１４０をさらに備える。ディスプレイ１２０が筐体１１０の一面１１２から立ち上げられた姿勢を維持するように、支持部１４０がディスプレイ１２０を支持する。よって、ディスプレイ１２０が筐体１１０の一面１１２から立ち上げられた姿勢で、操作ボタン１２６が操作された場合に、ディスプレイ１２０が動くことを防止できる。
【００２８】
また、ディスプレイ１２０が、支持部１４０のヒンジ機構を介して筐体１１０に連結されることで、ディスプレイ１２０の筐体１１０の一面１１２に対する回転とスライドとを一連の動作で実現できる。よって、ユーザは、ディスプレイ１２０の第１姿勢と第２姿勢との切り換えを容易にできる。
【００２９】
図５Ａは、ディスプレイ１２０が第１姿勢の状態のときの筐体１１０の一面１１２を裏側から見た図である。図５Ｂは、図５Ａに示すＰＡ−ＰＡ断面図である。図５Ｃは、図５Ｂの符号Ｅで囲まれた部分の拡大図である。図５Ｄは、図５Ａに示すＰＢ−ＰＢ断面図である。図５Ｅは、図５Ｄの符号Ｆで囲まれた部分の拡大図である。
【００３０】
連結部１３０は、ディスプレイ１２０の筐体１１０の一面１１２に対する姿勢を、第１姿勢と第２姿勢とで保持可能な保持機構として、図６に示すような板ばね１３５を有してよい。板ばね１３５は、Ｌ字形状である。板ばね１３５の一端は、連結部１３０のピン１３３に溝１１３を介して接続される。板ばね１３５は、連結部１３０の他端に、曲げ部１３６を有する。板ばね１３５は、連結部１３０とともに、溝１１３に沿ってスライドする。板ばね１３５の曲げ部１３６は、ディスプレイ１２０が第１姿勢のときに、図５Ｅに示すように、ディスプレイ１２０の一面１１２の裏側に設けられた凹部１１５に嵌る。これにより、ディスプレイ１２０が第１姿勢に維持される。
【００３１】
図７Ａは、ディスプレイ１２０が第２姿勢の状態のときの筐体１１０の一面１１２を裏側から見た図である。図７Ｂは、図７Ａに示すＰＡ−ＰＡ断面図である。図７Ｃは、図７Ｂの符号Ｈで囲まれた部分の拡大図である。図７Ｄは、図７Ａに示すＰＢ−ＰＢ断面図である。図７Ｅは、図７Ｄに示す符号Ｇで囲まれた部分の拡大図である。
【００３２】
連結部１３０は、図５Ｃに示すように、一対のワッシャ１３７と、留め具１３８とをさらに有する。一対のワッシャ１３７は、ピン１３３に挿入され、筐体１１０の溝１１３を挟んで配置される。留め具１３８は、ピン１３３から一対のワッシャ１３７が外れないように、ピン１３３の一端に固定される。
【００３３】
板ばね１３５の曲げ部１３６は、ディスプレイ１２０が第２姿勢のときに、図７Ｅに示すように、ディスプレイ１２０の一面１１２の裏側に設けられた凹部１１６に嵌る。これにより、ディスプレイ１２０が第２姿勢に維持される。
【００３４】
上記の例では、連結部１３０が、ディスプレイ１２０の筐体１１０の一面１１２に対する姿勢を、第１姿勢と第２姿勢とで保持可能な保持機構を有する例について説明した。しかし、保持機構は、例えば、支持部１４０に設けられてもよい。
【００３５】
図８Ａは、ディスプレイ１２０及び支持部１４０の斜視図である。図８Ａでは、説明を容易にするために、支持部１４０は、外カバーを外した状態で示されている。図８Ｂは、支持部１４０の分解斜視図である。支持部１４０は、基部１４１の一端に、ヒンジピン１５６、ワッシャ１５２、ワッシャ１５３、ワッシャ１５４、及び留め具１５１を有する。
【００３６】
ヒンジピン１５６は、基部１４１の一端に設けられた貫通孔１４５に挿入される。ヒンジピン１５６が貫通孔１４５に挿入された状態で、ワッシャ１５４、ワッシャ１５３、ワッシャ１５２の順に、各ワッシャがヒンジピン１５６に挿入される。留め具１５１は、各ワッシャがヒンジピン１５６から外れないように、ヒンジピン１５６の一端に固定される。
【００３７】
ワッシャ１５４は、図８Ｃに示すように、貫通孔１４５に対向する面に、突起部１５５を有する。基部１４１の一端の貫通孔１４５の周囲には、２本の溝１４４ａ及び溝１４４ｂが設けられている。ディスプレイ１２０が第１姿勢の場合に、突起部１５５が、溝１４４ａに嵌り、ディスプレイ１２０が第１姿勢に維持される。ディスプレイ１２０が第２姿勢の場合に、突起部１５５が、溝１４４ｂに嵌り、ディスプレイ１２０が第２姿勢に維持される。
【００３８】
なお、保持機構は、連結部１３０及び支持部１４０の両方に設けられてもよい。
【００３９】
本実施形態に係る撮像装置１００によれば、ディスプレイ１２０の筐体１１０の一面１１２に対する姿勢を第１姿勢と第２姿勢とに切り替えることができるので、ディスプレイ１２０の更なる利便性の向上を図ることができる。
【００４０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４２】
１００  撮像装置
１１０  筐体
１１２  一面
１１３  溝
１１５，１１６  凹部
１２０  ディスプレイ
１２２  一辺
１２４  表示面
１２６  操作ボタン
１３０  連結部
１３１  本体
１３２  ヒンジ部
１３３  ピン
１３４  回転軸
１３６  曲げ部
１３７  ワッシャ
１３８  留め具
１４０  支持部
１４１  基部
１４２  ヒンジ部
１４３  ヒンジ部
１４４ａ，１４４ｂ  溝
１４５  貫通孔
１５１  留め具
１５２  ワッシャ
１５３  ワッシャ
１５４  ワッシャ
１５５  突起部
１５６  ヒンジピン
１６０  ファインダ
【図１】
2020003618.tif 000003
【図２】
2020003618.tif 000004
【図３】
2020003618.tif 000005
【図４】
2020003618.tif 000006
【図５Ａ】
2020003618.tif 000007
【図５Ｂ】
2020003618.tif 000008
【図５Ｃ】
2020003618.tif 000009
【図５Ｄ】
2020003618.tif 000010
【図５Ｅ】
2020003618.tif 000011
【図６】
2020003618.tif 000012
【図７Ａ】
2020003618.tif 000013
【図７Ｂ】
2020003618.tif 000014
【図７Ｃ】
2020003618.tif 000015
【図７Ｄ】
2020003618.tif 000016
【図７Ｅ】
2020003618.tif 000017
【図８Ａ】
2020003618.tif 000018
【図８Ｂ】
2020003618.tif 000019
【図８Ｃ】
2020003618.tif 000020
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
イメージセンサと、
前記イメージセンサを収容する筐体と、
前記イメージセンサにより撮像された画像を表示するディスプレイと、
前記筐体と前記ディスプレイとを連結する連結部と、
前記筐体の一面に対して前記ディスプレイを支持する支持部と
を備え、
前記連結部は、
前記ディスプレイの一辺に連結され、前記ディスプレイの前記一辺に沿った軸を中心に前記ディスプレイを回転させる第１ヒンジ部と、
前記筐体の前記一面に設けられた溝にガイドされて、前記ディスプレイの前記一辺を前記溝に沿った方向にスライドさせるピンと
を有し、
前記ディスプレイを前記筐体の前記一面に対して回転可能に保持し、かつ
前記筐体の前記一面に沿って前記ディスプレイ及び前記連結部をスライド可能に前記筐体に保持され、
前記支持部は、基部と、前記基部の一端に設けられ、前記ディスプレイの表示面と反対側の裏面に連結される第２ヒンジ部と、前記基部の他端に設けられ、前記筐体の前記一面に連結される第３ヒンジ部とを有し、前記ディスプレイを前記筐体の前記一面に対して回転させながら、前記ディスプレイの前記一辺を前記溝に沿った方向にスライド可能に、前記筐体の前記一面に対して前記ディスプレイを支持し、
前記連結部は、前記ディスプレイの前記筐体の前記一面に対する姿勢を、前記ディスプレイの表示面と反対側の裏面を前記筐体の前記一面に対向させて前記ディスプレイを横たえさせた第１姿勢と、前記ディスプレイを前記筐体の前記一面に対して立ち上げた第２姿勢とで保持可能な第１保持機構を有し、
前記第１保持機構は、Ｌ字形状の板ばねを有し、
前記板ばねの一端は、前記ピンに前記溝を介して接続され、
前記板ばねの他端は、曲げ部を有し、
前記板ばねは、前記連結部とともに、前記溝に沿ってスライドし、
前記曲げ部は、前記ディスプレイが前記第２姿勢のときに、前記筐体の前記一面の裏側に設けられた第１凹部に嵌る、
撮像装置。
【請求項２】
前記曲げ部は、前記ディスプレイが前記第１姿勢のときに、前記筐体の前記一面の裏側に設けられた第２凹部に嵌る、請求項１に記載の撮像装置。
【請求項３】
前記筐体内に収容され、前記ディスプレイを制御する制御基板をさらに備え、
前記支持部は、前記ディスプレイと前記制御基板とを電気的に接続する配線を保持する、請求項１または２に記載の撮像装置。
【請求項４】
前記筐体の前記一面に設けられたファインダをさらに備え、
前記ファインダは、前記ディスプレイが前記第１姿勢の状態の場合に前記ディスプレイの一辺に沿って配置されている、請求項１から３の何れか１つに記載の撮像装置。
【請求項５】
前記ディスプレイが前記第２姿勢の状態の場合に、前記ディスプレイの表示面は、前記ファインダ側に位置する、請求項４に記載の撮像装置。
【請求項６】
前記支持部は、前記ディスプレイの前記筐体の前記一面に対する姿勢を、前記ディスプレイの表示面と反対側の裏面を前記筐体の前記一面に対向させて前記ディスプレイを横たえさせた第１姿勢と、前記ディスプレイを前記筐体の前記一面に対して立ち上げた第２姿勢とで保持可能な第２保持機構を有する、請求項１から５の何れか１つに記載の撮像装置。